(57)【特許請求の範囲】
【請求項１】
被収容物を収容する箱本体と、該箱本体の両端開口を閉塞する蓋部材とからなる紙製収容箱において、
前記箱本体または蓋体を構成する各面のうち、少なくとも１つの面の表面にテープからなる把手部材を配置し、その把手部材の両端を固着するとともに、該把手部材の両端間を配置面に全長にわたって外力により離間可能に接着したことを特徴とする紙製収容箱。
【請求項２】
前記配置面に、前記把手部材に固着されるとともに、前記配置面から分離可能な把持部を設けたことを特徴とする請求項１に記載の紙製収容箱。
【請求項３】
前記把手部材を、前記配置面の両端を越えて隣接する面にかけて延設し、前記配置面の両端に、把手部材の両側に位置するとともに隣接する面にかけて延びる一対のスリットを設け、これらスリットの間に変形部を設けたことを特徴とする請求項１または請求項２に記載の紙製収容箱。
【発明の詳細な説明】
【０００１】
【発明の属する技術分野】
本発明は、被収容物を収容する段ボール紙やボール紙などの紙製収容箱に関するものである。
【０００２】
【従来の技術】
従来より所定の販売店で希望の商品を購入した場合、その商品が収容された箱のまま持ち帰ることが多い。また、近年では、お酒を安価に販売するディスカウント店が増え、消費者もそのディスカウント店でビールやジュースなどの飲料品を箱ごと購入して持ち帰ることが増えている。
【０００３】
なお、このように箱のまま商品を持ち帰る場合には、その箱を樹脂製の手提げ袋に入れたり、箱に紐を巻き付けてその紐に樹脂製の把持具を装着し、搬送の利便性を図っている。
【０００４】
【発明が解決しようとする課題】
しかしながら、前記方法で持ち帰る場合には、手提げ袋や、紐および把持具が必要になるため、コスト高になる。また、家庭内での廃棄物も増え、細かく分別する必要がある地域では非常に面倒である。
【０００５】
そこで、本発明では、その他の把持用品を使用することなく便利に持ち運ぶことができ、廃棄も簡単な紙製収容箱を提供することを課題とするものである。
【０００６】
【課題を解決するための手段】
前記課題を解決するため、本発明の紙製収容箱は、被収容物を収容する箱本体と、該箱本体の両端開口を閉塞する蓋部材とからなる紙製収容箱において、前記箱本体または蓋体を構成する各面のうち、少なくとも１つの面の表面にテープからなる把手部材を配置し、その把手部材の両端を固着するとともに、該把手部材の両端間を配置面に全長にわたって外力により離間可能に接着した構成としている。
【０００７】
ここで、前記配置面に全長にわたって外力により離間可能に接着するとは、把手部材の全面に接着剤を塗布することにより全面にわたって接着すること、および、把手部材に所定間隔をもって接着剤を塗布することにより浮いた部分が生じることなく接着することを意味する。
【０００８】
前記紙製収容箱によれば、商品を購入者が持ち帰る際には、把手部材を持ち上げることにより、両端部間が離間する。そのため、離間した部分を手提げ紐として使用することができ、便利に持ち運ぶことができる。また、把手部材は、配置面に全長にわたって外力により離間可能に接着しているため、箱の表面に収容する商品に基づく標示を印刷したり、搬送する際には、この把手部材が他部材と干渉し、作業の妨げになることを防止できる。
【０００９】
前記紙製収容箱では、前記配置面に、前記把手部材に固着されるとともに、前記配置面から分離可能な把持部を設けることが好ましい。このようにすれば、把持する購入者の手に傷みを感じさせることを防止できる。
【００１０】
また、前記把手部材は、前記把手部材を、前記配置面の両端を越えて隣接する面にかけて延設し、前記配置面の両端に、把手部材の両側に位置するとともに隣接する面にかけて延びる一対のスリットを設け、これらスリットの間に変形部を設けることが好ましい。このようにすれば、購入者が把手部材を持つと、前記変形部が変形することにより、把持部分と箱との間にスペースを生じさせることができる。その結果、把持した手が箱に擦れることを防止できる。
【００１１】
【発明の実施の形態】
以下、本発明の実施の形態を図面に従って説明する。
図１は、本発明の第１実施形態に係る紙製収容箱１を示す。この紙製収容箱１は、３５０ｍｌの缶ビールを２４本収容可能なもので、大略、断面４角筒状の箱本体２と、該箱本体２の両端開口を閉塞する蓋部材３とを備え、前記箱本体２を構成する一面に把手部材４を配設したものである。
【００１２】
前記箱本体２と蓋部材３とは、段ボール紙５によって一体に成形されている。ここで、この段ボール紙５は、図２（Ａ）に示すように、一対の表紙６および裏紙７の間に波状の中しん８を配設した周知のものである。
【００１３】
前記把手部材４は、図２（Ｂ）に示すように、段ボール紙５を製造する際に、前記中しん８の延び方向と直交する方向に、全長にかけて貼着されている。本実施形態では、この把手部材４は、その一面に粘着剤が塗布され、肉厚が約１μｍのＯＰＰ製粘着カットテープにより構成している。また、この把手部材４の貼着位置には、離型剤が塗布されている。
【００１４】
なお、前記把手部材４は、エステル系のテープを適用してもよい。この場合、その一面にホットメルト接着剤を全面にかけて塗布するとともに、他面にクラフト紙を貼着することが好ましい。ここで、前記ホットメルト接着剤とは、熱が加わることにより溶融して接着可能な周知のものである。また、前記クラフト紙は、硫酸パルプから製造した破れに対して強い周知のものである。
【００１５】
前記紙製収容箱１は、紙器打抜装置（図示せず）によって前記段ボール紙５と把手部材４とを一緒に図３に示す一枚の連続した展開状態で打ち抜いて成形される。
【００１６】
具体的には、この打抜製品１０は、図３に示すように、箱本体２を構成する４つの壁面１１ａ，１１ｂ，１１ｃ，１１ｄを備えている。これら壁面１１ａ，１１ｂ，１１ｃ，１１ｄは、壁面１１ａ，１１ｃおよび壁面１１ｂ，１１ｄが対向するもので、それぞれ同一幅に形成されている。また、これら壁面１１ａ，１１ｂ，１１ｃ，１１ｄの境界部分には、一点鎖線で示すように、肉厚を圧縮して表面を窪ませた折曲線１２ａ，１２ｂ，１２ｃが設けられている。さらに、図２中左側端部の壁面１１ａの縁には、糊代部１３が設けられ、この糊代部１３との境界部分には折曲線１４が設けられている。
【００１７】
前記壁面１１ａ，１１ｂ，１１ｃ，１１ｄの上下端には、蓋部材３を構成するフラップ１５ａ，１５ｂ，１５ｃ，１５ｄが設けられるとともに、これらフラップ１５ａ，１５ｂ，１５ｃ，１５ｄとの境界部分に折曲線１６ａ，１６ｂ，１６ｃ，１６ｄが設けられている。
【００１８】
前記把手部材４は、前記壁面１１ａを配置面として設けられている。本実施形態では、この把手部材４は、前記壁面１１ａの中央において、両端を越えて隣接する上下のフラップ１５ａの端縁にかけて延びるように構成されている。
【００１９】
また、前記壁面１１ａの中央には、前記把手部材４に固着されるとともに、配置面であるこの壁面１１ａから分離可能な把持部１７が設けられている。この把持部１７は、前記把手部材４に貼着されるとともに壁面１１ａとの連続状態を維持する連続部１７ａと、略Ｕ字形状の切断線１８で３方を切断された折返部１７ｂとからなる。前記連続部１７ａと折返部１７ｂとの境界部分には折曲線１９が設けられいる。また、この折曲線１９には、折り曲げる際の作業性および折り曲げ状態の維持を図る切断部２０が太線で示すように所定間隔をもって設けられている。また、前記切断線１８の中央には、円弧状の切断線２１と、該切断線２１の端部間に設けた折曲線２２とで囲繞された剥離作業用の舌片２３が設けられている。
【００２０】
さらに、前記壁面１１ａにおける長手方向の両端には、把手部材４の両側に位置するとともに隣接する面であるフラップ１５ａにかけて延びる一対のスリット２４が設けられ、これらスリット２４の間に変形部２５が形成されている。前記スリット２４の両端には、外方に向けて円弧状に湾曲する湾曲部２４ａが設けられている。また、前記変形部２５には、幅方向にかけて延びる折曲線２６が所定間隔をもって設けられている。なお、本実施形態では、図示のように、段ボール紙５を構成する中しん８の延び方向Ｘが折曲線２６と平行し、これらと直交する方向Ｙに変形部２５が変形する構成としている。
【００２１】
前記壁面１１ｂには、Ｔ字形状の引掛部２７が設けられている。この引掛部２７は、下部を除いて略逆凸字形状に切断した切断線２８と、連続した下部の折曲線２９とで構成される。また、両側に膨出した上部には逆Ｖ字形状に折曲線３０が設けられている。さらに、壁面１１ｂに対向する壁面１１ｄには、折曲線１２ａ，１２ｃに沿って２つに重畳させた状態で前記引掛部２７に対応する受部３１が設けられている。この受部３１は、倒Ｔ字形状の切断線３２と、該切断線３２の両側に位置する折曲線３３と、円弧状の切断線３４と、該切断線３４の下端に位置する折曲線３５とで構成される。前記折曲線３３には、太線で示すように所定長さの切断部３３ａが設けられている。
【００２２】
前記構成の打抜製品１０では、段ボール紙５の表面に把手部材４が全長にわたって貼着され、部分的にも浮くような離間部分は存在しない状態となっている。そのため、この把手部材４を配置した表面に、収容する商品に基づく標示を印刷する際に、浮いた部分が引っ掛かるなどして印刷作業を妨げることはない。
【００２３】
また、前記打抜製品１０は、前記展開状態のままで酒造メーカに納品され、この製造メーカにて、商品を収容して梱包される。
【００２４】
具体的には、まず、製造した缶ビールを図３に波線で示すように４×６の配列で配置した後、折曲線１４に沿って糊代部１３を折り曲げ、該糊代部１３を対向する壁面１１ｄの縁に糊付けして貼着する。その後、折曲線１６に沿ってフラップ１５ａ，１５ｃを折り曲げた後、同様にフラップ１５ｂ，１５ｄを折り曲げ、これらフラップ１５ｂ，１５ｄをフラップ１５ａ，１５ｃに貼着することにより、梱包が完了する。
【００２５】
この商品を収容した紙製収容箱１は、図１に示すように、把手部材４の両端が隣接する面のフラップ１５ａ，１５ｂ，１５ｄにより挟み込まれて固着され、かつ、この両端間が配置面である壁面１１ａに全面にわたって貼着されている。そして、この状態でディスカウント店などの各販売店に納品される。
【００２６】
即ち、前記展開状態の打抜製品１０を酒造メーカに搬送する際、商品を収容する際、糊付けする際、および、各販売店に納品する際には、前記と同様に、把持部１７は全長にわたって離間部分なく貼着されているため、浮いた部分が引っ掛かるなどして各作業の妨げになることを防止できる。
【００２７】
一方、ディスカウント店で缶ビールを紙製収容箱１のまま購入した購入者は、まず、前記壁面１１ａの舌片２３から内部に指を差し込み、切断線１８で囲まれた折返部１７ｂを引き上げる。その後、連続部１７ａの内面に指を引っ掛けて把持部１７全体を上向きに持ち上げる。これにより、図４に示すように、前記連続部１７ａが壁面１１ａから破断して分離される。また、その力（外力）で把手部材４が中央から両側端に向けて離間していく。
【００２８】
この際、本実施形態では、把手部材４の貼着位置に離型剤を塗布しているため、段ボール紙５を構成する表紙６が破断し、把手部材４に付着したままの状態になることを防止できる。即ち、箱本体２が部分的に薄くなったり、破断した部分が生じることはないため、該箱本体２の剛性が低下することを防止できる。
【００２９】
なお、把手部材４の離間が壁面１１ａの両端まで達すると、該把手部材４の延び方向が垂直方向に変わり、かつ、その部分はフラップ１５ａ，１５ｂ，１５ｄにより挟み込まれて固着されているため、離間は止まる。
【００３０】
この状態で、購入者が内部に商品を収容した紙製収容箱１を持ち上げると、図４に示すように、収容した缶との間に隙間が存在するため、その丸みに合わせるように変形部２５が内向きに変形し、把持部１７と壁面１１ａとの間にスペースを生じさせることができる。
【００３１】
ここで、前記変形部２５の変形は、折曲線２６、および、該折曲線２６と平行な内部の中しん８の延び方向により、容易かつ確実に変形可能である。また、前記変形部２５の変形端部となるスリット２４の両端には、外方に向けて円弧状に湾曲する湾曲部２４ａが設けられているため、変形による力でその端部から破断が生じることはない。
【００３２】
これにより、購入者は、離間した把手部材４を手提げ紐として使用し、紙製収容箱１を便利に持ち運ぶことができる。この際、本実施形態では、連続部１７ａと折返部１７ｂとからなる把持部１７を設けているため、把持する購入者の手に傷みを感じさせることを防止できる。また、変形部２５により把手部材４と壁面１１ａとの間に離間したスペースが存在するため、把持したの手が箱に擦れ、傷みを感じさせることを防止できる。
【００３３】
さらに、本実施形態の把手部材４は、ＯＰＰ製粘着カットテープやエステル系のテープからなるため、十分な強度を備え、切れることはない。また、湿度が高い保管場所に保管しており、段ボール紙５が水分を吸着していても、把手部材４が破断して製品が落下する可能性はない。また、把手部材４の両端はフラップ１５ａ，１５ｂ，１５ｄに挟まれた状態で接着されているため、その両端の接着が剥がれることもなく、十分の耐力を有する。
【００３４】
さらにまた、前記紙製収容箱１を廃棄する際には、フラップ１５ａ，１５ｂ，１５ｃ，１５ｄによる貼着を剥いで展開し、大部分が離間した状態の把手部材４を引っ張ることにより、紙製収容箱１から把手部材４を簡単に分離できる。そのため、廃棄物の分別が細かい地域でも、簡単に分別でき、段ボール紙５の再利用を促進するうえでも非常に好ましい。また、把手部材４を分離すると、紙製収容箱１自体は、引掛部２７を折り曲げて受部３１を通して壁面１１ｄを貫通させることにより、コンパクトに重畳させた状態を維持できる。
【００３５】
しかも、本実施形態では、把手部材４は、段ボール紙５を製造する際に貼着する構成としているため、大量生産するのに非常に優れており、生産コストの低下を図ることができる。
【００３６】
図５は第２実施形態の紙製収容箱１を示す。この第２実施形態では、把手部材４を壁面１１ａと異なる壁面１１ｂに、幅方向に延びるように配置した点で第１実施形態と相違している。なお、この場合、前記把手部材４は、第１実施形態と同様に、段ボール紙５を構成する中しん８と直交する方向に延びるように構成することが好ましい。このように、把手部材４の配置する面および延び方向を変えても第１実施形態と同様の作用、効果を得ることができる。
【００３７】
なお、本発明の紙製収容箱１は、前記実施形態の構成に限定されるものではない。
例えば、前記実施形態では、把手部材４を紙製収容箱１を構成する６面のうち、１つの面に設けたが、２以上の面に設けてもよく、その数は希望に応じて変更が可能である。
【００３８】
また、前記実施形態では、把手部材４を全長にわたって全面貼着したが、所定間隔をもって貼着部分と非貼着部分（離間部分）とが存在する構成としてもよい。この場合、非貼着部分が浮き上がることのないように、この非貼着部分の長さは例えば２０ｍｍ以下とし、配置面から把手部材４が全長にわたって離間しないように構成することが好ましい。このようにすれば、非貼着部分が浮き上がることはないうえ、貼着部分が少なくなるため、購入者が把手部材４を離間させる際の作業性が向上する。
【００３９】
また、前記実施形態では、把持部１７は、連続部１７ａと折返部１７ｂとからなる構成としたが、連続部１７ａのみの構成としてもよい。また、前記のように、把手部材４に所定間隔をもって貼着部分と非貼着部分とを設ける場合には、その非貼着部分を引っ張ることにより把手部材４を離間させることもできる。そのため、この場合には前記把持部１７を設けない構成としてもよい。
【００４０】
また、前記実施形態では、変形部２５を形成するためのスリット２４に湾曲部２４ａを設けたが、この湾曲部２４ａは設けない構成としてもよい。
【００４１】
また、前記実施形態では、変形部２５は、中しん８の延び方向Ｘと直交する方向Ｙに変形する構成としたため、折曲線２６を設けない構成としても確実に変形させて所定の配置面と把手部材４との間にスペースを形成することができる。逆に、中しん８の延び方向に沿って変形部２５を変形させるように設計した場合には、前記折曲線２６を設けることが好ましい。
【００４２】
また、把手部材４として、持ち上げた際の重量によって所定長さまで延び、その重量では破断が生じない延伸テープを用いる場合には、前記変形部２５は設けない構成としてもよい。この場合、紙製収容箱１の構造を簡素化でき、コストダウンを図ることができる。
【００４３】
また、前記実施形態では、箱本体２は２４缶を収容可能としたが、その収容数は、６缶、１２缶、１５缶など、希望に応じて変更可能である。
【００４４】
また、前記実施形態では、紙製収容箱１は、ビールを収容するものを適用したが、収容する商品は限定されるものではない。そして、紙製収容箱１の箱本体２も収容する商品に基づいて変形が可能であり、円筒状、三角筒形状、五角筒形状、六角筒形状など、筒形状であればよい。
【００４５】
また、前記実施形態では、２４缶のビールを収容する構成としたため、強度が強い段ボール紙５を適用したが、収容する商品の重量が軽い場合にはボール紙（単紙）を適用してもよい。
【００４６】
【発明の効果】
以上の説明から明らかなように、本発明の紙製収容箱では、商品を購入者が持ち帰る際には、把手部材を持ち上げることにより、該把手部材の両端部間を離間させ、その離間した部分を手提げ紐として使用し、便利に持ち運ぶことができる。そのため、手提げ袋や紐および把持具など、持ち帰るための用具は不要であり、コスト高になることを防止できる。また、展開した状態では把手部材は簡単に分離することができるため、廃棄する際の分別も非常に簡単であり、段ボール紙の再利用も促進できる。
【００４７】
さらに、前記把手部材に把持部を設けているため、把持した購入者の手に傷みを感じさせることを防止できる。さらにまた、把手部材の配置面には、変形部を設け、購入者が把手部材を持つと、前記変形部が変形することにより、把持部分と箱との間にスペースを生じさせる構成としているため、把持した手が箱に擦れることを防止できる。
【図面の簡単な説明】
【図１】  本発明の第１実施形態に係る紙製収容箱を示す斜視図である。
【図２】  紙製収容箱を成形する段ボール紙を示し、（Ａ）は側面図、（Ｂ）は平面図である。
【図３】  展開状態の紙製収容箱を示す平面図である。
【図４】  把手部材を持ち上げた状態を示す斜視図である。
【図５】  第２実施形態の紙製収容箱を示す斜視図である。
【符号の説明】
１…紙製収容箱、２…箱本体、３…蓋部材、４…把手部材、１１ａ…壁面（配置面）、１５…フラップ、１７…把持部、２４…スリット、２５…変形部。
【図１】
0004641123.tif 000002
【図２】
0004641123.tif 000003
【図３】
0004641123.tif 000004
【図４】
0004641123.tif 000005
【図５】
0004641123.tif 000006